(57)【特許請求の範囲】
【請求項１】
表示部と、
前記表示部の表面に対応して配され、接触を検出する接触検出部と、
前記接触検出部への押圧荷重を検出する荷重検出部と、
入力するための文字を入力候補として前記表示部に表示させる制御部と、を備え、
前記制御部は、前記入力候補として表示される前記文字への接触が前記接触検出部により検出され、接触が検出された文字である接触文字と第１の関係を有する第１の関連文字を前記表示部に表示させた状態において、前記第１の関連文字への接触が前記接触検出部により検出されると共に、前記第１の関連文字への押圧荷重が前記荷重検出部により検出された場合に、押圧荷重が検出された前記第１の関連文字を入力させる、電子機器であって、
前記制御部は、前記接触検出部により前記第１の関連文字への接触が検出されたにもかかわらず、前記荷重検出部により前記第１の関連文字への押圧荷重が検出されず、その後、前記接触検出部により前記第１の関連文字への接触が解除されたことが検出された場合に、接触が検出された前記第１の関連文字を入力することなく前記表示部に表示された前記第１の関連文字の表示を解除する電子機器。
【請求項２】
前記制御部は、前記接触検出部により前記第１の関連文字への接触が検出されると共に、前記荷重検出部により前記第１の関連文字への押圧荷重が検出されて、当該第１の関連文字が入力され、その後、前記接触検出部により前記第１の関連文字への接触が解除されたことが検出された場合に、前記表示部に表示された前記第１の関連文字の表示を解除する、請求項１に記載の電子機器。
【請求項３】
前記制御部は、前記表示部に前記第１の関連文字が表示されている場合にのみ、前記荷重検出部による前記接触検出部への押圧荷重の検出を行わせる、請求項１または２に記載の電子機器。
【請求項４】
前記制御部は、前記接触文字への接触が前記接触検出部により検出されると共に、当該接触文字への押圧荷重が前記荷重検出部により検出された場合に、押圧荷重が検出された前記接触文字を入力させる、請求項１から３のいずれか一項に記載の電子機器。
【請求項５】
前記制御部は、前記第１の関連文字を入力させるための前記押圧荷重の閾値と、前記接触文字を入力させるための前記押圧荷重の閾値とをそれぞれ異ならせる、請求項４に記載の電子機器。
【請求項６】
前記制御部は、
前記入力候補として表示される前記文字への接触を前記接触検出部により検出した場合、前記第１の関連文字と共に、前記接触文字と第２の関係を有する第２の関連文字を表示させ、
前記第２の関連文字への接触が前記接触検出部により検出されると共に、当該第２の関連文字への押圧荷重が前記荷重検出部により検出された場合に、押圧荷重が検出された前記第２の関連文字を入力させる、請求項１から５のいずれか一項に記載の電子機器。
【請求項７】
前記入力候補として表示される前記文字の文字種は、かな文字である場合に、
前記第１の関連文字は、前記接触文字と子音が同一のかな文字を含み、
前記第２の関連文字は、前記接触文字の変換候補を含む、請求項６に記載の電子機器。
【請求項８】
表示部の表面への接触を検出するステップと、
前記表示部の表面への押圧荷重を検出するステップと、
前記表示部に表示される文字への接触を検出して、接触が検出された文字である接触文字と第１の関係を有する第１の関連文字を前記表示部に表示させるステップと、
前記第１の関連文字への接触が検出されると共に、当該第１の関連文字への押圧荷重が検出された場合に、押圧荷重が検出された前記第１の関連文字を入力させるステップと、を備える電子機器の制御方法であって、
前記第１の関連文字への接触が検出されたにもかかわらず、前記第１の関連文字への押圧荷重が検出されず、その後、前記第１の関連文字への接触が解除されたことが検出された場合に、接触が検出された前記第１の関連文字を入力することなく前記表示部に表示された前記第１の関連文字の表示を解除する電子機器の制御方法。
【請求項９】
携帯電子機器のコンピュータを機能させるための制御プログラムであって、
前記コンピュータに、
表示部の表面への接触を検出するステップと、
前記表示部の表面への押圧荷重を検出するステップと、
前記表示部に表示される文字への接触を検出して、接触が検出された文字である接触文字と第１の関係を有する第１の関連文字を前記表示部に表示させるステップと、
前記第１の関連文字への接触が検出されると共に、当該第１の関連文字への押圧荷重が検出された場合に、押圧荷重が検出された前記第１の関連文字を入力させるステップと、を実行させるための制御プログラムであって、
前記第１の関連文字への接触が検出されたにもかかわらず、前記第１の関連文字への押圧荷重が検出されず、その後、前記第１の関連文字への接触が解除されたことが検出された場合に、接触が検出された前記第１の関連文字を入力することなく前記表示部に表示された前記第１の関連文字の表示を解除する制御プログラム。
【発明の詳細な説明】
【技術分野】
【０００１】
本発明は、表示部への接触を検出可能な電子機器、電子機器の制御方法及びプログラムに関する。
【背景技術】
【０００２】
従来、表示部への接触を検出可能な携帯電子機器において、平仮名文字の「あ段」が割り当てられた仮想的なキーを表示部に表示させた状態で、当該平仮名文字へ接触して、接触された平仮名文字と子音が同一のかな文字の仮想的なキーを、当該接触された平仮名文字の仮想的なキーの周囲に表示させる。そして、表示されたいずれかの平仮名文字の仮想的なキーに対応する箇所へ摺動操作を行うことにより、所望の平仮名文字の入力を行うことが可能であった（例えば、特許文献１参照）。
【先行技術文献】
【特許文献】
【０００３】
【特許文献１】特開２００９−２６６２３６号公報
【発明の概要】
【発明が解決しようとする課題】
【０００４】
しかし、特許文献１に記載の電子機器では、表示されたいずれかの平仮名文字の仮想的なキーに対応する箇所への摺動操作を行うだけで、平仮名文字の入力を行ってしまうため、ユーザの意思を反映させない文字入力が行われる場合があった。
【０００５】
本発明は、ユーザの意思を反映させた文字入力を行うことができる電子機器、電子機器の制御方法及びプログラムを提供することを目的とする。
【課題を解決するための手段】
【０００６】
本発明に係る電子機器は、上記課題を解決するために、表示部と、前記表示部の表面に対応して配され、接触を検出する接触検出部と、前記接触検出部への押圧荷重を検出する荷重検出部と、入力するための文字を入力候補として前記表示部に表示させる制御部と、を備え、前記制御部は、前記入力候補として表示される前記文字への接触が前記接触検出部により検出され、接触が検出された文字である接触文字と第１の関係を有する第１の関連文字を前記表示部に表示させた状態において、前記第１の関連文字への接触が前記接触検出部により検出されると共に、当該第１の関連文字への押圧荷重が前記荷重検出部により検出された場合に、押圧荷重が検出された前記第１の関連文字を入力させる。
【０００７】
また、前記制御部は、前記接触検出部により前記第１の関連文字への接触が検出されたにもかかわらず、前記荷重検出部により前記第１の関連文字への押圧荷重が検出されず、その後、前記接触検出部により前記第１の関連文字への接触が解除されたことが検出された場合に、接触が検出された前記第１の関連文字を入力することなく前記表示部に表示された前記第１の関連文字の表示を解除することが好ましい。
【０００８】
また、前記制御部は、前記接触検出部により前記第１の関連文字への接触が検出されると共に、前記荷重検出部により前記第１の関連文字への押圧荷重が検出されて、当該第１の関連文字が入力され、その後、前記接触検出部により前記第１の関連文字への接触が解除されたことが検出された場合に、前記表示部に表示された前記第１の関連文字の表示を解除することが好ましい。
【０００９】
また、前記制御部は、前記表示部に前記第１の関連文字が表示されている場合にのみ、前記荷重検出部による前記接触検出部への押圧荷重の検出を行わせることが好ましい。
【００１０】
また、前記制御部は、前記接触文字への接触が前記接触検出部により検出されると共に、当該接触文字への押圧荷重が前記荷重検出部により検出された場合に、押圧荷重が検出された前記接触文字を入力させることが好ましい。
【００１１】
また、前記制御部は、前記第１の関連文字を入力させるための前記押圧荷重の閾値と、前記接触文字を入力させるための前記押圧荷重の閾値とをそれぞれ異ならせることが好ましい。
【００１２】
また、前記制御部は、前記入力候補として表示される前記文字への接触を前記接触検出部により検出した場合、前記第１の関連文字と共に、前記接触文字と第２の関係を有する第２の関連文字を表示させ、前記第２の関連文字への接触が前記接触検出部により検出されると共に、当該第２の関連文字への押圧荷重が前記荷重検出部により検出された場合に、押圧荷重が検出された前記第２の関連文字を入力させることが好ましい。
【００１３】
また、前記入力候補として表示される前記文字の文字種は、かな文字である場合に、前記第１の関連文字は、前記接触文字と子音が同一のかな文字を含み、前記第２の関連文字は、前記接触文字の変換候補を含むことが好ましい。
【００１４】
本発明に係る電子機器の制御方法は、上記課題を解決するために、表示部の表面への接触を検出するステップと、前記表示部の表面への押圧荷重を検出するステップと、前記表示部に表示される文字への接触を検出して、接触が検出された文字である接触文字と第１の関係を有する第１の関連文字を前記表示部に表示させるステップと、前記第１の関連文字への接触が検出されると共に、当該第１の関連文字への押圧荷重が検出された場合に、押圧荷重が検出された前記第１の関連文字を入力させるステップと、を備える。
【００１５】
本発明に係るプログラムは、上記課題を解決するために、携帯電子機器のコンピュータを機能させるための制御プログラムであって、前記コンピュータに、表示部の表面への接触を検出するステップと、前記表示部の表面への押圧荷重を検出するステップと、前記表示部に表示される文字への接触を検出して、接触が検出された文字である接触文字と第１の関係を有する第１の関連文字を前記表示部に表示させるステップと、前記第１の関連文字への接触が検出されると共に、当該第１の関連文字への押圧荷重が検出された場合に、押圧荷重が検出された前記第１の関連文字を入力させるステップと、を実行させるための制御プログラムである。
【発明の効果】
【００１６】
本発明によれば、ユーザの意思を反映させた文字入力を行うことができる電子機器、電子機器の制御方法及びプログラムを提供することができる。
【図面の簡単な説明】
【００１７】
【図１】本実施形態に係る携帯電話機の外観斜視図である。
【図２】携帯電話機の機能構成を示すブロック図である。
【図３】本実施形態に係る表示部に表示される文字入力画面の例を示す図である。
【図４】本実施形態に係る表示部に表示される画面遷移例を示す図である。
【図５】図３及び図４に示す例の内部処理について示すフローチャートである。
【発明を実施するための形態】
【００１８】
以下、本発明の実施の形態について説明する。まず、本発明の携帯電子機器の一実施形態に係る携帯電話機１の基本構造について、図１を参照しながら説明する。図１は、本実施形態に係る携帯電話機１の外観斜視図である。
【００１９】
携帯電話機１は、筺体２を備える。筺体２には、正面部に、タッチパネル１０と、マイク１３と、スピーカ１４とが配置される。
【００２０】
タッチパネル１０は、表示部１１と、接触検出部１２と、荷重検出部１８と、を備える（図２参照）。表示部１１は、液晶表示パネル又は有機ＥＬ（エレクトロルミネッセンス）表示パネル等である。接触検出部１２は、表示部１１に対する携帯電話機１のユーザの指やタッチペン等の物体の接触を検出するセンサである。接触検出部１２には、表示部１１の表面に対応して配され、例えば、静電容量方式や抵抗膜方式等のセンサが利用可能である。
【００２１】
マイク１３は、携帯電話機１のユーザが通話時に発した音声を入力するために用いられる。
スピーカ１４は、携帯電話機１のユーザの通話相手が発した音声を出力するために用いられる。
【００２２】
続いて、図２を参照しながら、携帯電話機１の機能構成について説明する。図２は、携帯電話機１の機能構成を示すブロック図である。
【００２３】
携帯電話機１は、上述した、タッチパネル１０（表示部１１、接触検出部１２及び荷重検出部１８）と、マイク１３と、スピーカ１４と、アクチュエータ１９とを備える。また、携帯電話機１は、通信部１５と、記憶部１６と、制御部１７とを備える。
【００２４】
通信部１５は、メインアンテナ（図示省略）とＲＦ回路部（図示省略）とを備え、所定の連絡先に発信したり、通信したりする。また、通信部１５が通信を行う通信先は、携帯電話機１と電話やメールの送受信を行う外部装置や、携帯電話機１がインターネットの接続を行う外部のｗｅｂサーバ等の外部装置等である。
【００２５】
通信部１５は、所定の使用周波数帯で外部装置と通信を行う。具体的には、通信部１５は、上記のメインアンテナによって受信した信号を復調処理し、処理後の信号を制御部１７に供給する。また、通信部１５は、制御部１７から供給された信号を変調処理し、上記のメインアンテナを介して外部装置（基地局）に送信する。
【００２６】
記憶部１６は、例えば、ワーキングメモリを含み、制御部１７による演算処理に利用される。また、記憶部１６は、携帯電話機１の内部で動作するアプリケーションやデータベースを１又は複数記憶する。なお、記憶部１６は、着脱可能な外部メモリを兼ねていてもよい。
【００２７】
制御部１７は、携帯電話機１の全体を制御しており、表示部１１及び通信部１５に対して制御を行う。
【００２８】
本実施形態の記憶部１６及び制御部１７は、一般的なコンピュータによって構成してもよい。一般的なコンピュータは、例えば、制御部１７として、中央処理装置（ＣＰＵ）を備え、記憶部１６として、メモリ（ＲＡＭ、ＲＯＭ）や、ハードディスク（ＨＤＤ）等を備える。このような一般的なコンピュータにおいて、制御部１７は、携帯電話機１を統括的に制御し、各種プログラムを記憶部１６から適宜読み出して実行することにより、上述した表示部１１、接触検出部１２、マイク１３、スピーカ１４、通信部１５、荷重検出部１８及びアクチュエータ１９と協働し、本発明に係る各種機能を実現している。
【００２９】
荷重検出部１８は、接触検出部１２への押圧荷重を検出する。具体的には、荷重検出部１８は、接触検出部１２への押圧荷重を検出する圧力センサ、圧電素子、静電容量式センサ等であってもよい。荷重検出部１８は、押圧荷重を検出すると、検出した押圧荷重に応じた信号を制御部１７へ出力する。
【００３０】
アクチュエータ１９は、制御部１７からの制御信号に応じて、表示部１１に対して押圧荷重に対応した触覚を与える。具体的には、アクチュエータ１９は、表示部１１の接触検出部１２により接触が検出された箇所へ、制御部１７からの制御信号に応じて所定の振動を与える。
【００３１】
本実施形態に係る携帯電話機１は、文字を入力する機能を有している。以下、当該機能を実行させるための構成について説明する。
【００３２】
図２に示すように、記憶部１６は、文字入力補助アプリケーション１６１と、文字入力アプリケーション１６２とを備え、制御部１７は、アプリケーション制御部１７１と、文字入力制御部１７２と、接触状態制御部１７３と、を備える。
【００３３】
文字入力補助アプリケーション１６１は、携帯電話機１において文字の入力を補助するアプリケーション・プログラム、いわゆるＩＭＥ（Ｉｎｐｕｔ  Ｍｅｔｈｏｄ  Ｅｄｉｔｏｒ）である。例えば、文字入力補助アプリケーション１６１は、入力された文字を変換したり、変換候補や入力候補を表示部１１に表示させたりする機能を有する。また、文字入力補助アプリケーション１６１は、複数の文字種（例えば、平仮名文字（かな文字）、片仮名文字（カナ文字）、英字、数字、記号、絵文字、デコレーションメール用絵文字等）に対応する文字をそれぞれ記憶している。
【００３４】
ここで、本実施形態に係る文字とは、平仮名文字、片仮名文字、漢字だけでなく、数字、英字、記号、絵文字、デコレーションメール用絵文字も含む。また、文字とは、単一の文字だけでなく、複数の文字からなる文字列も含む。
【００３５】
アプリケーション制御部１７１は、例えば接触検出部１２への接触等に応じて、文字入力アプリケーション１６２（例えば、メモ帳アプリケーション、電子メールアプリケーション、文書作成アプリケーション等）を起動及び終了させたり、文字入力補助アプリケーション１６１を起動及び終了させたりする。
【００３６】
文字入力制御部１７２は、アプリケーション制御部１７１により起動された文字入力アプリケーション１６２において、文字入力補助アプリケーション１６１を用いて、複数の文字種のうち、いずれかの文字種の文字を入力するための複数の入力候補を表示部１１に表示させる。
【００３７】
接触状態制御部１７３は、荷重検出部１８により検出された接触状態を含む信号を受信する。そして、接触状態制御部１７３は、アクチュエータ１９に接触状態に応じた制御信号を送信して、アクチュエータ１９を接触状態に応じた触覚を与える。例えば、接触状態制御部１７３は、アクチュエータ１９を接触状態に応じた強度で振動させる。
【００３８】
このように、本実施形態の携帯電話機１は、接触操作や摺動操作だけでなく、押圧荷重に応じた操作及び押圧荷重に応じた触覚を用いて、入力や選択を行うことができる。
【００３９】
図３は、本実施形態に係る表示部１１に表示される文字入力画面の例を示す図である。
図３の文字入力画面Ｄ１においては、文字入力補助アプリケーション１６１及び文字入力アプリケーション１６２が起動している。また、図３の文字入力画面Ｄ１においては、文字入力補助アプリケーション１６１によりソフトウェアキーとして入力候補Ａ１が表示されている。なお、図３では、文字入力のための入力候補のみ表示するが、表示部１１の図示しない領域には、文字入力アプリケーション１６２により文字が入力される文字入力領域が表示される。
【００４０】
また、文字入力画面Ｄ１において、入力候補Ａ１は、かな文字の「あ」、「か」、「さ」、「た」、「な」、「は」、「ま」、「や」、「ら」及び「わ」（五十音の「あ段」）を表示している。また、「顔文字」は、かな文字から顔文字へ入力形態を切り替えるソフトウェアキーであり、「記号」は、かな文字から英字・数字・記号等へ入力形態を切り替えるソフトウェアキーである。
【００４１】
また、入力候補Ａ１は、図３の文字入力画面Ｄ２に示すように、表示部１１に複数の文字種に対応する仮想的なキーが表示されており、一のキーに対してそれぞれ、かな文字、数字、英字及び記号が割り当てられる。例えば、かな文字「な」のキーには、数字「５」及び英字「Ｊ、Ｋ、Ｌ」が割り当てられる。
【００４２】
図４は、本実施形態に係る表示部１１に表示される画面遷移例を示す図である。
図４においても図３と同様に、文字入力補助アプリケーション１６１及び文字入力アプリケーション１６２が起動している。
【００４３】
図３の文字入力画面Ｄ１において、文字入力制御部１７２は、入力候補Ａ１として表示される文字「な」への接触が接触検出部１２により検出されると、接触が検出された文字である接触文字「な」と第１の関係を有する第１の関連文字Ａ２を表示部１１に表示させる。さらに、文字入力制御部１７２は、第１の関連文字と共に、接触文字「な」と第２の関係を有する第２の関連文字Ａ３を表示部１１の放射状の領域に表示させる（図４の状態Ａ）。
【００４４】
ここで、接触文字「な」と第１の関係を有する第１の関連文字Ａ２とは、接触文字「な」と子音が同一のかな文字「に」、「ぬ」、「ね」及び「の」である。接触文字「な」と第２の関係を有する第２の関連文字Ａ３とは、接触文字「な」を頭文字とした変換候補を含み、「なく」、「ない」、「なかった」等が挙げられる。なお、第２の関連文字Ａ３は、過去の使用履歴等に基づく学習状況に応じて表示が変更されてもよい。
【００４５】
状態Ａにおいて、文字入力制御部１７２は、接触文字から第１の関連文字Ａ２への摺動操作（例えば、スワイプ操作）が接触検出部１２により検出され、第１の関連文字Ａ２への押圧荷重が荷重検出部１８により検出された場合に、当該第１の関連文字Ａ２を入力させる。
また、文字入力制御部１７２は、接触文字から第２の関連文字Ａ３への摺動操作（例えば、スワイプ操作）が接触検出部１２により検出され、第２の関連文字Ａ３への押圧荷重が荷重検出部１８により検出された場合に、当該第２の関連文字Ａ３を入力させる。
【００４６】
具体的には、文字入力制御部１７２は、接触文字「な」から第１の関連文字「ぬ」への摺動操作（例えば、スワイプ操作）が接触検出部１２により検出され、第１の関連文字「ぬ」への押圧荷重が荷重検出部１８により検出された場合に、当該第１の関連文字「ぬ」を入力させる。
また、文字入力制御部１７２は、接触文字「な」から第２の関連文字「なく」への摺動操作（例えば、スワイプ操作）が接触検出部１２により検出され、第２の関連文字「なく」への押圧荷重が荷重検出部１８により検出された場合に、当該第２の関連文字「なく」を入力させる。
【００４７】
このように本実施形態の携帯電話機１によれば、文字入力制御部１７２は、第１の関連文字Ａ２又は第２の関連文字Ａ３への押圧荷重が検出された場合に、はじめて第１の関連文字Ａ２又は第２の関連文字Ａ３を入力させる。すなわち、文字入力制御部１７２は、第１の関連文字Ａ２又は第２の関連文字Ａ３への接触が検出されたとしても、押圧荷重が検出されない場合には、第１の関連文字Ａ２又は第２の関連文字Ａ３を入力させない。したがって、携帯電話機１は、ユーザの意思を反映させた文字入力を行うことができ、誤入力を防止することができる。
【００４８】
また、本実施形態の携帯電話機１によれば、入力候補Ａ１として表示されるいずれかの文字種は、かな文字である場合に、第１の関連文字Ａ２は、接触文字と子音が同一のかな文字を含み、第２の関連文字Ａ３は、接触文字の変換候補を含む。これにより、携帯電話機１は、かな文字及び変換候補について、ユーザの意思を反映させた文字入力を行うことができ、誤入力を防止することができる。
【００４９】
状態Ａにおいて、文字入力制御部１７２は、接触文字から第１の関連文字Ａ２への摺動操作が接触検出部１２により検出され、接触検出部１２により第１の関連文字Ａ２への接触が検出されたにもかかわらず、荷重検出部１８により第１の関連文字Ａ２への押圧荷重が検出されず、その後、接触検出部１２により第１の関連文字Ａ２への接触が解除されたことが検出された場合に、第１の関連文字Ａ２を入力することなく表示部１１に表示された第１の関連文字Ａ２の表示を解除する。
【００５０】
具体的には、状態Ａにおいて、文字入力制御部１７２は、接触文字「な」から第１の関連文字「ぬ」への摺動操作が接触検出部１２により検出され、接触検出部１２により第１の関連文字「ぬ」への接触が検出されたにもかかわらず、荷重検出部１８により第１の関連文字「ぬ」への押圧荷重が検出されず、その後、接触検出部１２により第１の関連文字「ぬ」への接触が解除されたことが検出された場合に、第１の関連文字「ぬ」を入力することなく表示部１１に表示された第１の関連文字「ぬ」の表示を解除する。
【００５１】
同様に、状態Ａにおいて、文字入力制御部１７２は、接触文字「な」から第２の関連文字「なく」への摺動操作が接触検出部１２により検出され、接触検出部１２により第２の関連文字「なく」への接触が検出されたにもかかわらず、荷重検出部１８により第２の関連文字「なく」への押圧荷重が検出されず、その後、接触検出部１２により第２の関連文字「なく」への接触が解除されたことが検出された場合に、第１の関連文字「なく」を入力することなく表示部１１に表示された第２の関連文字「なく」の表示を解除する。
【００５２】
これにより、携帯電話機１は、ユーザが第１の関連文字Ａ２又は第２の関連文字Ａ３を必要とする場合のみ、第１の関連文字Ａ２又は第２の関連文字Ａ３を表示させることができる。
【００５３】
状態Ａにおいて、文字入力制御部１７２は、荷重検出部１８により第１の関連文字Ａ２への押圧荷重が検出されて、当該第１の関連文字Ａ２が入力され、その後、接触検出部１２により第１の関連文字Ａ２への接触が解除されたことが検出された場合に、表示部１１に表示された第１の関連文字Ａ２の表示を解除する。
【００５４】
具体的には、状態Ａにおいて、文字入力制御部１７２は、接触文字「な」から第１の関連文字「ぬ」への摺動操作が接触検出部１２により検出され、荷重検出部１８により第１の関連文字「ぬ」への押圧荷重が検出されて、当該第１の関連文字「ぬ」が入力され、その後、接触検出部１２により第１の関連文字「ぬ」への接触が解除されたことが検出された場合に、表示部１１に表示された第１の関連文字Ａ２及び第２の関連文字Ａ３の表示を解除する。
【００５５】
同様に、状態Ａにおいて、文字入力制御部１７２は、接触文字「な」から第２の関連文字「なく」への摺動操作が接触検出部１２により検出され、荷重検出部１８により第２の関連文字「なく」への所定の押圧荷重が検出されて、当該第２の関連文字「なく」が入力され、その後、接触検出部１２により第２の関連文字「なく」への接触が解除されたことが検出された場合に、表示部１１に表示された第１の関連文字Ａ２及び第２の関連文字Ａ３の表示を解除する。
【００５６】
これにより、携帯電話機１は、第１の関連文字Ａ２又は第２の関連文字Ａ３の入力が完了した後に、第１の関連文字Ａ２及び第２の関連文字Ａ３の表示を解除することができる。
【００５７】
また、文字入力制御部１７２は、表示部１１に第１の関連文字Ａ２及び第２の関連文字Ａ３が表示されている場合にのみ、荷重検出部１８による接触検出部１２への押圧荷重の検出を行わせる。例えば、文字入力制御部１７２は、図４の状態Ａでは荷重検出部１８による接触検出部１２への押圧荷重の検出を行わせるが、図３の文字入力画面Ｄ１では荷重検出部１８による接触検出部１２への押圧荷重の検出を行わせない。これにより、携帯電話機１は、荷重検出部１８を必要としない場合は、荷重検出部１８を動作させないため、消費電力を低減できる。
【００５８】
また、状態Ａにおいて、文字入力制御部１７２は、接触文字への押圧荷重が荷重検出部１８により検出された場合に、当該接触文字を入力させる。具体的には、状態Ａにおいて、文字入力制御部１７２は、接触文字「な」への押圧荷重が荷重検出部１８により検出された場合に、当該接触文字「な」を入力させる。これにより、携帯電話機１は、接触文字への押圧荷重が荷重検出部１８により検出された場合に、接触文字を入力させるため、携帯電話機１は、ユーザの意思を反映させた文字入力を行うことができ、誤入力を防止することができる。
【００５９】
文字入力制御部１７２は、第１の関連文字Ａ２を入力させるための押圧荷重の閾値Ｓ１と、第２の関連文字Ａ３を入力させるための押圧荷重の閾値Ｓ２と、接触文字を入力させるための押圧荷重の閾値Ｓ３と、をそれぞれ異ならせてもよい。
【００６０】
例えば、押圧荷重の閾値Ｓ１を１０ｇ、閾値Ｓ２を２０ｇ、閾値Ｓ３を３０ｇにそれぞれ設定する。そして、文字入力制御部１７２は、接触文字「な」から第１の関連文字「ぬ」への摺動操作が接触検出部１２により検出され、第１の関連文字「ぬ」への閾値Ｓ１を超える押圧荷重（例えば、１５ｇの押圧荷重）が荷重検出部１８により検出された場合には、文字入力制御部１７２は、当該第１の関連文字「ぬ」を入力させる。
【００６１】
同様に、文字入力制御部１７２は、接触文字「な」から第２の関連文字「なく」への摺動操作が接触検出部１２により検出され、第２の関連文字「なく」への閾値Ｓ２を超える押圧荷重（例えば、２５ｇの押圧荷重）が荷重検出部１８により検出された場合には、文字入力制御部１７２は、当該第２の関連文字「なく」を入力させる。
同様に、文字入力制御部１７２は、接触文字「な」への閾値Ｓ３を超える押圧荷重（例えば、３５ｇの押圧荷重）が荷重検出部１８により検出された場合には、文字入力制御部１７２は、当該接触文字「な」を入力させる。
【００６２】
さらに、接触状態制御部１７３は、表示部１１の接触が検出された箇所に対して、押圧荷重に応じた触覚をアクチュエータ１９により与える。
例えば、接触状態制御部１７３は、閾値Ｓ１を超える押圧荷重（例えば、１５ｇの押圧荷重）が荷重検出部１８により検出された場合には、表示部１１の接触が検出された箇所（例えば、第１の関連文字Ａ２）に対して、アクチュエータ１９により振動強度Ｐ１の振動を与える。
【００６３】
また、接触状態制御部１７３は、閾値Ｓ２を超える押圧荷重（例えば、２５ｇの押圧荷重）が荷重検出部１８により検出された場合には、表示部１１の接触が検出された箇所（例えば、第２の関連文字Ａ３）に対して、振動強度Ｐ１よりも強度が大きい振動強度Ｐ２の振動を与える。また、接触状態制御部１７３は、閾値Ｓ３を超える押圧荷重（例えば、３５ｇの押圧荷重）が荷重検出部１８により検出された場合には、表示部１１の接触が検出された箇所（例えば、接触文字）に対して、振動強度Ｐ２よりも強度が大きい振動強度Ｐ３の振動を与える。また、検出された押圧荷重に応じた回数分アクチュエータ１９により振動を与えてもよい。
【００６４】
これにより、携帯電話機１は、表示部１１への表示だけでなく、振動という触覚によって文字の入力を確認できるため、より好適に誤入力を防止することができる。
【００６５】
図５は、図３及び図４に示す例の内部処理について示すフローチャートである。
ステップＳ１において、文字入力補助アプリケーション１６１及び文字入力アプリケーション１６２は、初回キーとして入力候補Ａ１を含む仮想キーを表示する（例えば、図３の文字入力画面Ｄ１）。なお、初回キーの文字種は、例えば、前回、文字入力補助アプリケーション１６１及び文字入力アプリケーション１６２を終了させた際に、表示部１１に表示されていた文字種であってもよい。
【００６６】
ステップＳ２において、文字入力制御部１７２は、入力候補Ａ１のいずれかの文字への接触を接触検出部１２により検出する。
【００６７】
ステップＳ３において、文字入力制御部１７２は、接触が検出された文字である接触文字と第１の関係を有する第１の関連文字Ａ２及び接触文字と第２の関係を有する第２の関連文字Ａ３を表示部１１の放射状の領域に表示させる。
【００６８】
ステップＳ４において、文字入力制御部１７２は、接触文字から第１の関連文字Ａ２への摺動操作（例えば、スワイプ操作）が接触検出部１２により検出されたか否かを判定する。接触文字から第１の関連文字Ａ２への摺動操作が検出された場合（ＹＥＳ）には、ステップＳ５へ進む。接触文字から第１の関連文字Ａ２への摺動操作が検出されない場合（ＮＯ）には、ステップＳ９へ進む。
【００６９】
ステップＳ５において、文字入力制御部１７２は、荷重検出部１８により第１の関連文字Ａ２への押圧荷重が検出されず、その後、接触検出部１２により第１の関連文字Ａ２への接触が解除されたことが検出されたか否かを判定する。第１の関連文字Ａ２への接触が解除された場合（ＹＥＳ）には、ステップＳ８へ進む。第１の関連文字Ａ２への接触が解除されなかった場合（ＮＯ）には、ステップＳ６へ進む。
【００７０】
ステップＳ６において、文字入力制御部１７２は、第１の関連文字Ａ２への押圧荷重が荷重検出部１８により検出されたか否かを判定する。押圧荷重が検出された場合（ＹＥＳ）には、ステップＳ７へ進む。押圧荷重が検出されなかった場合（ＮＯ）には、ステップＳ５へ戻る。
【００７１】
ステップＳ７において、文字入力制御部１７２は、押圧荷重が荷重検出部１８により検出された第１の関連文字Ａ２を入力させる。接触状態制御部１７３は、表示部１１の第１の関連文字Ａ２が表示されている箇所に対して、押圧荷重に応じた触覚をアクチュエータ１９により与える。
【００７２】
ステップＳ８において、文字入力制御部１７２は、第１の関連文字Ａ２及び第２の関連文字Ａ３の表示を解除した後、処理を終了する。
【００７３】
ステップＳ９において、文字入力制御部１７２は、接触文字から第２の関連文字Ａ３への摺動操作（例えば、スワイプ操作）が接触検出部１２により検出されたか否かを判定する。接触文字から第２の関連文字Ａ３への摺動操作が検出された場合（ＹＥＳ）には、ステップＳ１０へ進む。接触文字から第２の関連文字Ａ３への摺動操作が検出されない場合（ＮＯ）には、ステップＳ１４へ進む。
【００７４】
ステップＳ１０において、文字入力制御部１７２は、荷重検出部１８により第２の関連文字Ａ３への押圧荷重が検出されず、その後、接触検出部１２により第２の関連文字Ａ３への接触が解除されたことが検出されたか否かを判定する。第２の関連文字Ａ３への接触が解除された場合（ＹＥＳ）には、ステップＳ１３へ進む。第２の関連文字Ａ３への接触が解除されなかった場合（ＮＯ）には、ステップＳ１１へ進む。
【００７５】
ステップＳ１１において、文字入力制御部１７２は、第２の関連文字Ａ３への押圧荷重が荷重検出部１８により検出されたか否かを判定する。押圧荷重が検出された場合（ＹＥＳ）には、ステップＳ１２へ進む。押圧荷重が検出されなかった場合（ＮＯ）には、ステップＳ１０へ戻る。
【００７６】
ステップＳ１２において、文字入力制御部１７２は、押圧荷重が荷重検出部１８により検出された第２の関連文字Ａ３を入力させる。接触状態制御部１７３は、表示部１１の第２の関連文字Ａ３が表示されている箇所に対して、押圧荷重に応じた触覚をアクチュエータ１９により与える。
【００７７】
ステップＳ１３において、文字入力制御部１７２は、第１の関連文字Ａ２及び第２の関連文字Ａ３の表示を解除した後、処理を終了する。
【００７８】
ステップＳ１４において、文字入力制御部１７２は、接触文字への押圧荷重が荷重検出部１８により検出された否かを判定する。接触文字への押圧荷重が検出された場合（ＹＥＳ）には、ステップＳ１５へ進む。接触文字への押圧荷重が検出されなかった場合（ＮＯ）には、ステップＳ４へ戻る。
【００７９】
ステップＳ１５において、文字入力制御部１７２は、押圧荷重が検出された接触文字を入力させ、表示部１１の接触文字が表示されている箇所に対して、押圧荷重に応じた触覚をアクチュエータ１９により与える。
【００８０】
ステップＳ１６において、文字入力制御部１７２は、第１の関連文字Ａ２及び第２の関連文字Ａ３の表示を解除した後、処理を終了する。このように本実施形態の携帯電話機１は、ユーザの意思を反映させた文字入力を行うことができ、誤入力を防止することができる。
【００８１】
以上、本発明の実施形態について説明したが、本発明は上述した実施形態に制限されるものではなく、適宜変更が可能である。また、上述した実施形態において、電子機器としての携帯電話機１について説明したが、他の電子機器にも適用可能である。例えば、本発明の携帯電子機器は、デジタルカメラ、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、パソコン、ノートパソコン、携帯ゲーム装置等であってもよい。
【００８２】
また、上述した携帯電話機１は、いわゆるストレートタイプの携帯電話機の形態を示しているが、携帯電話機の形態としては特にこれに限られない。例えば、携帯電話機は、両筐体を重ね合わせた状態から一方の筐体を一方向にスライドさせるようにしたスライド式や、重ね合せ方向に沿う軸線を中心に一方の筐体を回転させるようにした回転式（ターンタイプ）でもよい。
【符号の説明】
【００８３】
１  携帯電話機
１０  タッチパネル
１１  表示部
１２  接触検出部
１６  記憶部
１７  制御部
１８  荷重検出部
１９  アクチュータ
１６１  文字入力補助アプリケーション
１６２  文字入力アプリケーション
１７１  アプリケーション制御部
１７２  文字入力制御部
１７３  接触状態制御部
【図１】
0005751870.tif 000002
【図２】
0005751870.tif 000003
【図３】
0005751870.tif 000004
【図４】
0005751870.tif 000005
【図５】
0005751870.tif 000006